(57)【要約】  排出チューブパッケージ。パッケージは、排出容器と、排出容器と係合可能及びロック可能なクロージャとを有する。容器はボディ壁部とヘッドとを有する。ヘッドはネックと肩部とを有する。ボディ壁部はボディ壁部の中にチャンバを形成している。ネックは肩部を介してボディ壁部に接続している。ネックは、オリフィスと、オリフィスからチャンバまで延びた貫通した通路とを有している。１つ又は２つ以上の突起が、肩部の周縁に隣接した肩部から延びている。ネックから第１のねじ山が延びている。第１のねじ山は、約０．０８〜約０．１６インチのピッチと、ネックの長手方向に突起と概して整列した完全ねじ部始端とを有している。クロージャは上端部を有しており、該上端部から、概して周方向の外部スカートと、概して周方向の内部スカートとが延びている。内部スカートは外部スカートの内側に配置されている。内部スカートは、内面においてないブスカートリッジから延びた第２のねじ山を有している。第２のねじ山はネックの第１のねじ山と螺合可能である。外部スカートは、上端部とは反対側において第１の縁部において終わっている。内部スカートは、上端部とは反対側において第２の縁部において終わっている。外部スカートは、縁部から内方へ延びたスロットを有している。スロットは、クロージャがヘッドとロックされている場合に突起の一部を受容するように適合されている。さらに、排出容器が提供される。さらに、クロージャが提供される。
2007508209.tif 000002
【特許請求の範囲】
【請求項１】
排出パッケージにおいて、
排出容器が設けられており、該排出容器がボディ壁部とヘッドとを有しており、ヘッドがネックと肩部とを有しており、ボディ壁部がチャンバを形成しており、ネックが肩部を介してボディ壁部と接続しており、ネックが、オリフィスと、オリフィスからチャンバまで延びた、貫通した通路とを有しており、肩部が、肩部の周縁に隣接して肩部から延びた突起を有しており、ネックが、ネックから延びた第１のねじ山を有しており、第１のねじ山が約０．０８〜約０．１６インチのピッチと、ネックの長手方向において突起と概して整列した完全ねじ部始端とを有しており、
排出容器と係合及びロック可能なクロージャが設けられており、該クロージャが上端部を有しており、該上端部から概して周方向の外部スカートと、概して周方向の内部スカートとが延びており、内部スカートが外部スカートの内側に配置されており、内部スカートが、内面において、内部スカートから延びた第２のねじ山を有しており、第２のねじ山がネックの第１のねじ山と螺合可能であり、外部スカートが上端部とは反対側の第１の縁部において終わっており、内部スカートが上端部とは反対側の第２の縁部において終わっており、外部スカートが、第１の縁部から内方へ延びたスロットを有しており、該スロットが、クロージャがヘッドとロックされている場合に突起の一部を受容するように適合されていることを特徴とする、排出パッケージ。
【請求項２】
前記スロットが、該スロットに受容可能な突起の部分と実質的に同じ形状である、請求項１記載のパッケージ。
【請求項３】
スロットが、該スロットに隣接した垂直な縁部を形成しており、該垂直な縁部が、概して外部スカートの長手方向に延びている、請求項２記載のパッケージ。
【請求項４】
突起が、概してネックの長手方向に延びた平らな面を形成しており、クロージャがヘッドとロックされた場合に前記平らな面が前記垂直な縁部と係合可能である、請求項３記載のパッケージ。
【請求項５】
突起がネックから半径方向外方へ延びている、請求項１記載のパッケージ。
【請求項６】
突起が、ネックから分離されておりかつ非一体的である、請求項１記載のパッケージ。
【請求項７】
突起が、突起の外側部分に切欠を有しており、突起が、切欠に隣接した平らな面を支持している、請求項３記載のパッケージ。
【請求項８】
肩部から２つの突起が延びており、２つの突起がネックを中心にして向き合って配置されている、請求項１記載のパッケージ。
【請求項９】
肩部から２つの突起が延びており、２つの突起がネックを中心にして向き合って配置されている、請求項６記載のパッケージ。
【請求項１０】
スロットが、第１の縁部から垂直な縁部まで斜めに延びている、請求項３記載のパッケージ。
【請求項１１】
外部スカートの外面が、概して第１の縁部から上端部に向かって延びた刻み目を有している、請求項１記載のパッケージ。
【請求項１２】
１つ又は２つ以上のリブが、外部スカートの内面において、外部スカートのほぼ中間から上端部に向かって延びている、請求項１記載のパッケージ。
【請求項１３】
３〜６個のリブが設けられている、請求項１２記載のパッケージ。
【請求項１４】
肩部が約０．５〜約０．７５インチの直径を有している、請求項１記載のパッケージ。
【請求項１５】
肩部が約０．６インチの直径を有している、請求項１４記載のパッケージ。
【請求項１６】
内部スカート及び外部スカートが、クロージャの長手方向に対して約０．５゜だけ内方にテーパしている、請求項１記載のパッケージ。
【請求項１７】
クロージャが、上端部から概してクロージャの長手方向に周囲に沿って延びたプラグシールを有しており、クロージャがヘッドとロックされている場合にプラグシールがオリフィスに嵌合して該オリフィスをシールするように適合されている、請求項１記載のパッケージ。
【請求項１８】
クロージャが、クロージャの上端部の内面の中央領域に配置された発泡体層を有しており、該発泡体層が、クロージャがヘッドとロックされている場合にオリフィスに被さり該オリフィスをシールするように適合されている、請求項１記載のパッケージ。
【請求項１９】
肩部の形状が実質的に平らである、請求項１記載のパッケージ。
【請求項２０】
第１のねじ山が約０．１〜約０．１２インチのピッチを有している、請求項１記載のパッケージ。
【請求項２１】
第１のねじ山が約０．１インチのピッチを有している、請求項１記載のパッケージ。
【請求項２２】
突起の高さが、ネックの外面に設けられたねじ山のピッチの約半分である、請求項１記載のパッケージ。
【請求項２３】
ネックのねじ山が、概してネックの長手方向において突起と整列した完全ねじ部終端を有している、請求項１記載のパッケージ。
【請求項２４】
排出容器において、ボディ壁部とヘッドとが設けられており、ヘッドがネックと肩部とを有しており、ボディ壁部がチャンバを形成しており、ネックが肩部を介してボディ壁部と接続しており、ネックが、オリフィスと、オリフィスからチャンバまで延びた貫通した通路とを有しており、肩部が、肩部の周縁に隣接して、肩部から延びた突起とを有しており、ネックが、ネックから延びた第１のねじ山を有しており、第１のねじ山が、約０．０８〜約０．１６のピッチと、概してネックの長手方向において突起と整列した完全ねじ部始端とを有することを特徴とする、排出容器。
【請求項２５】
突起が、概してネックの長手方向に延びた平らな面を有する、請求項２４記載の容器。
【請求項２６】
突起が、ネックから半径方向外方へ延びている、請求項２４記載の容器。
【請求項２７】
突起が、ネックから分離されておりかつ非一体的である、請求項２４記載の容器。
【請求項２８】
突起が、突起の外側部分に切欠を有しており、突起が、切欠に隣接した平らな面を支持している、請求項２５記載の容器。
【請求項２９】
肩部から２つの突起が延びており、２つの突起が、ネックを中心にして向き合って配置されている、請求項２４記載の容器。
【請求項３０】
肩部から２つの突起が延びており、２つの突起が、ネックを中心にして向き合って配置されている、請求項２７記載の容器。
【請求項３１】
ネックを中心にして向き合って配置された、それぞれがトライアングロイドの形状を有する２つの突起が設けられている、請求項２４記載の容器。
【請求項３２】
肩部が、約０．５〜約０．７５インチの直径を有している、請求項２４記載の容器。
【請求項３３】
肩部が、約０．６インチの直径を有している、請求項２４記載の容器。
【請求項３４】
肩部の形状が実質的に平坦である、請求項２４記載の容器。
【請求項３５】
第１のねじ山が約０．１〜約０．１２インチのピッチを有している、請求項２４記載の容器。
【請求項３６】
第１のねじ山が約０．１インチのピッチを有している、請求項２４記載の容器。
【請求項３７】
突起の高さが、ネックの外面に設けられたねじ山のピッチの約半分である、請求項２４記載の容器。
【請求項３８】
ネックのねじ山が、概してネックの長手方向において突起と整列した完全ねじ部終端を有している、請求項２４記載の容器。
【請求項３９】
クロージャにおいて、
上端部を有しており、該上端部から、概して周方向の外部スカートと、概して周方向の内部スカートとが延びており、該内部スカートが外部スカートの内側に配置されており、内部スカートが、内面において、前記内部スカートから延びたねじ山を有しており、外部スカートが、上端部とは反対側の第１の縁部において終わっており、内部スカートが、上端部とは反対側の第１の縁部において終わっており、外部スカートが、縁部から内方へ延びたスロットを有しており、該スロットが、該スロットに隣接した平らな面を有しており、該平らな面が、概して外部スカートの長手方向に延びており、スロットが、縁部から平らな面まで斜めに延びていることを特徴とする、クロージャ。
【請求項４０】
外部スカートの外面が、概して第１の縁部から上端部に向かって延びた刻み目を有している、請求項３９記載のクロージャ。
【請求項４１】
１つ又は２つ以上のリブが、外部スカートの内面において、外部スカートのほぼ中間から上端部に向かって延びている、請求項３９記載のクロージャ。
【請求項４２】
３〜６個のリブが設けられている、請求項４１記載のクロージャ。
【請求項４３】
内部スカート及び外部スカートが、クロージャの長手方向に対して約０．５゜だけ内方へテーパしている、請求項３９記載のクロージャ。
【請求項４４】
クロージャが、上端部から概してクロージャの長手方向に周囲に沿って延びたプラグシールを有している、請求項３９記載のクロージャ。
【請求項４５】
クロージャが、クロージャの上端部の内面の中央領域に配置された発泡体層を有している、請求項３９記載のクロージャ。
【請求項４６】
排出パッケージにおいて、
排出容器が設けられており、該排出容器がボディ壁部とヘッドとを有しており、該ヘッドがネックと肩部とを有しており、ボディ壁部がチャンバを形成しており、ネックが肩部を介してボディ壁部に接続されており、ネックが、オリフィスと、オリフィスからチャンバまで延びた貫通した通路とを有しており、ネックが、ネックの周縁に隣接して肩部から延びた突起を有しており、ネックが、ネックからネックに沿って延びた二条又は三条以上のねじ山を有しており、該ねじ山が約０．１５〜約０．３０インチのピッチを有しており、二条又は三条以上のねじ山がそれぞれ、ネックの長手方向において突起と概して整列した完全ねじ部始端を有しており、
排出容器と係合可能及びロック可能なクロージャが設けられており、該クロージャが上端部を有しており、該上端部から、概して周方向の外部スカートと、概して周方向の内部スカートとが延びており、該内部スカートが外部スカートの内側に配置されており、内部スカートの内面に二条又は三条以上のねじ山が設けられており、該二条又は三条以上のねじ山が、ネックの二条又は三条以上のねじ山と螺合可能であり、外部スカートが、上端部と反対側において第１の縁部において終わっており、内部スカートが、上端部とは反対側において第２の縁部において終わっており、外部スカートが、縁部から内方へ延びたスロットを有しており、該スロットが、クロージャがヘッドとロックされているときに突起の一部を受容するように適合されていることを特徴とする、排出パッケージ。
【発明の詳細な説明】
【技術分野】
【０００１】
発明の分野
本発明は製品を排出及び供給するためのパッケージに関する。本発明はさらに子供に安全なパッケージに関する。本発明はさらに子供に安全なパッケージのためのクロージャに関する。本発明はさらに子供に安全なパッケージのための容器に関する。
【０００２】
従来技術の説明
飲み込んだりすると子供に有害なおそれがあると考えられる製品を排出する場合に使用するための、子供に安全なパッケージが開発されている。このようなパッケージは一般的に容器とクロージャとを有している。クロージャは一般的に、容器から回しはずす又は解離するために機械的操作を必要とする。幾つかの一般的なタイプは、押し回し及びスクイーズ・アンド・ターンを含む。このようなパッケージは一般的に管状のプラスチックの排出容器と共に用いられてきた。
【０００３】
幾つかのスクイーズ・アンド・ターン管状プラスチック排出容器は、クロージャの部分に係合するための、容器の基部又は肩部におけるロック突起を採用してきた。このようなパッケージの例は、英国特許出願第２０３０９７０号明細書及び米国特許第４３３５８２３号明細書；第４４１３７４３号明細書；第５１４５０８０号明細書；第５９８８４１２号明細書；第５９１５５７６号明細書；第６１１２９２１号明細書及び第６３５７６１５号明細書に示されている。
【０００４】
スクイーズ・アンド・ターン管状プラスチック排出容器はこれまで小さな直径寸法、すなわち基部又は肩部の直径が０．５０〜０．７５インチの場合には使用不能であった。小さな直径の容器は、突起とクロージャとの係合を達成するために利用可能な比較的小さな円周のため、設計するのが困難である。
【０００５】
直径の寸法が小さい、子供に安全なパッケージを提供することが望ましい。さらに、スクイーズ・アンド・ターン・タイプの子供に安全なパッケージを提供することが望ましい。さらに、ロッキング突起を使用する子供に安全なパッケージを提供することが望ましい。
【０００６】
発明の概要
本発明によれば、排出チューブパッケージが提供される。パッケージは、排出容器と、排出容器と係合及びロック可能なクロージャとを有する。容器は、ボディ壁部とヘッドとを有する。ヘッドはネックと肩部とを有する。ボディ壁部はチャンバを形成している。ネックは肩部を介してボディ壁部と接続している。ネックは、オリフィスと、オリフィスからチャンバまで貫通して延びた通路とを有する。１つ又は２つ以上の突起が、肩部の周縁に隣接して肩部から延びている。ネックは、ネックから延びた第１のねじ山を有する。第１のねじ山は、約０．０８〜約０．１６インチのピッチを有しており、概してネックの長手方向で突起と整合した完全ねじ部始端とを有している。クロージャの上端部から、概して周方向の外部スカートと、概して周方向の内部スカートとが延びている。内部スカートは外部スカートの内側に配置されている。内部スカートは、内面に、内部スカートから延びた第２のねじ山を有している。第２のねじ山は、ネックの第１のねじ山と螺合可能である。外部スカートは、上端部と反対側の第１の縁部において終わっている。内部スカートは上端部と反対側の第２の端部において終わっている。外部スカートは、縁部から内方へ延びたスロットを有している。スロットは、クロージャがヘッドとロックされた場合に突起の一部を受容するように適合されている。
【０００７】
さらに本発明によれば、排出容器が提供される。排出容器はボディ壁部とヘッドとを有する。ヘッドはネックと肩部とを有する。ボディ壁部はチャンバを形成している。ネックは肩部を介してボディ壁部と接続している。ネックは、オリフィスと、オリフィスからチャンバまで貫通して延びた通路とを有する。１つ又は２つ以上の突起が、肩部の周縁に隣接して肩部から延びている。ネックは、ネックから延びた第１のねじ山を有している。第１のねじ山は約０．０８〜約０．１６インチのピッチを有しており、概してネックの長手方向において突起と整合している。
【０００８】
さらに本発明によれば、クロージャが提供される。クロージャの上端部は、上端部から延びた概して周方向の外部スカートと、上端部から延びた概して周方向の内部スカートとを有する。内部スカートは外部スカートの内側に配置されている。内部スカートは、内面に、内部スカートから延びた第２のねじ山を有する。第２のねじ山はネックの第１のねじ山と螺合可能である。外部スカートは、上端部と反対側の第１の縁部において終わっている。内部スカートは、上端部と反対側の第２の縁部において終わっている。外部スカートは縁部から内方に延びたスロットを有している。スロットは、スロットに隣接した平らな面を形成している。平らな面は概して、外部スカートの長手方向に延びている。スロットは、縁部から平らな面まで斜めに延びている。
【０００９】
さらに本発明によれば、排出パッケージングが提供される。パッケージは排出容器とクロージャとを有する。容器はボディ壁部とヘッドとを有する。ヘッドはネックと肩部とを有する。ボディ壁部はチャンバを形成している。ネックは肩部を介してボディ壁部と接続している。ネックは、オリフィスと、オリフィスからチャンバまで貫通して延びた通路とを有している。肩部の周縁に隣接して肩部から延びた２つ以上の突起がある。ネックは、ネックから、ネックに沿って延びた２つ以上の絡み合ったねじ山を有する。ねじ山は約０．１５〜約０．３０インチのピッチを有する。２つ以上のねじ山はそれぞれ、概してネックの長手方向において突起と整合した完全ねじ部始端を有する。クロージャは排出容器と係合及びロック可能である。クロージャの上端部から、概して周方向の外部スカートと、上概して周方向の内部スカートとが延びている。内部スカートは外部スカートの内側に配置されている。内部スカートは、内面に、内部スカートから、内部スカートに沿って延びた２つ以上の絡み合ったねじ山を有する。２つ以上の絡み合ったねじ山は、ネックの２つ以上の絡み合ったねじ山と螺合可能である。外部スカートは、上端部と反対側の第１の縁部において終わっている。内部スカートは、上端部と反対側の第２の縁部において終わっている。外部スカートは、縁部から内方に延びたスロットを有する。スロットは、クロージャがヘッドとロックされる場合に２つ以上の突起の一部を受容するように適合されている。
【００１０】
図面の簡単な説明
図１は、本発明による排出パッケージの実施形態の斜視図である。
【００１１】
図２は、本発明によるクロージャの実施形態の斜視図である。
【００１２】
図３は、３−３線に沿った図２のクロージャの断面図である。
【００１３】
図４は、図２のクロージャの側面図である。
【００１４】
図５は、本発明による排出容器の実施形態の部分的な斜視図である。
【００１５】
図６は、図５の排出容器の上面図である。
【００１６】
図７は、図５の排出容器の側面図である。
【００１７】
図８は、８−８線に沿った図１のパッケージの断面図である。
【００１８】
図９は、図３のクロージャのねじ山の拡大図である。
【００１９】
図１０は、本発明のクロージャの別の実施形態の斜視図である。
【００２０】
図１１は、１１−１１線に沿った図１０のクロージャの断面図である。
【００２１】
図１２は、本発明による排出容器のさらに別の実施形態の斜視図である。
【００２２】
図１３は、図１２の排出容器の部分的な側面図である。
【００２３】
図１４は、図１２の排出容器の別の部分的な側面図である。
【００２４】
図１５は、図１２の排出容器の上面図である。
【００２５】
図１６は、図１と同じ形式において図２のクロージャが図１２の排出容器と係合させられた場合に形成されるパッケージの断面図である。断面は、図１の８−８線と同じ方向から見たものである。
【００２６】
図１７は、本発明による排出容器のさらに別の実施形態の斜視図である。
【００２７】
図１８は、図１７の排出容器の部分的な側面図である。
【００２８】
図１９は、図１７の排出容器の部分的な側面図である。
【００２９】
図２０は、図７の排出容器の上面図である。
【００３０】
図２１は、本発明による排出容器のさらに別の実施形態の断片的な斜視図である。
【００３１】
図２２は、図２１の排出容器の断片的な側面図である。
【００３２】
図２３は、パッケージを形成するためにクロージャと連結された図２１の排出容器の断片的な斜視図である。
【００３３】
図２４は、パッケージを形成するためにクロージャと連結された図２１の排出容器の断片的な側面図である。
【００３４】
図２５は、本発明によるクロージャの側面図である。
【００３５】
好適な実施形態の詳細な説明
以下は本発明の好適な態様及び特徴である。
【００３６】
クロージャにおける好適なスロットは、そこに受容される突起の部分と実質的に同じ形状であることができる。スロットは、スロットに隣接した垂直な縁部を形成しており、垂直な縁部は、概して外部スカートの長手方向に延びている。スロットは、外部スカートの縁部から垂直な縁部まで斜めに延びている。
【００３７】
好適な突起は、概してネックの長手方向に延びた平らな面を形成している。平らな面は、クロージャがヘッドとロックされた場合に、垂直な縁部と係合させられる。１つの実施形態において、突起はネックから半径方向外方へ延びている。突起は、実質的にネックと接触していない。別の実施形態において、突起は外側部分に切欠を有しており、切欠は平らな面に当接する。好適な実施形態において、肩部から延びた２つの突起が設けられており、２つの突起は、ネックを中心にして向き合って位置決めされている。好適には、突起の高さは、ネックの外面に設けられたねじ山のピッチの約半分である。
【００３８】
好適なクロージャにおいて、外部スカートの外面は、概してクロージャの下縁部から上端部に向かって延びた刻み目を形成している。外部スカートの内面は、クロージャを機械的に強化するために、内面のほぼ中央から上端部に向かって延びた１つ又は２つ以上のリブを有している。最も好適には、３〜６個のリブが設けられている。肩部は、約０．５〜約０．７５インチのより好適な直径、及び約０．６インチの最も好適な直径を有している。内部スカート及び外部スカートは、最も好適には、クロージャの射出成形時の成形性を高めるためにクロージャの長手方向に対して約０．５゜（度）だけ内方へテーパされている。クロージャは、好適には、上端部から概してクロージャの長手方向に周囲に沿って延びたプラグシールを有している。プラグシールは、クロージャがヘッドとロックされる場合にオリフィス内に嵌合してこのオリフィスをシールするように適合されている。プラグシールの代わりに、クロージャは、上端部の内面の中央領域に配置された発泡体層を有することができる。発泡体層は、クロージャがヘッドとロックされる場合にオリフィスに嵌合してこのオリフィスをシールするように適合されている。肩部の形状は傾斜しているか又は平坦であることができる。ネックに設けられたねじ山は好適には約０．１〜０．１２インチのピッチ、最も好適には約０．１インチのピッチを有している。ネックの長手方向において突起と概して整合した完全ねじ部始端を有する代わりに、好適な排出容器は、概して整合した完全ねじ部終端をも有する。
【００３９】
排出チューブパッケージの実施形態が、図１に示されており、概して参照符号１０によって示されている。パッケージ１０は、排出容器２０と、この排出容器と係合及びロック可能なクロージャ１２とを有している。クロージャ１２は、図２に個別に示されている。図５に示されたように、容器２０は、ボディ壁部１６とヘッド２２とを有する。ヘッド２２はネック２４と肩部２６とを有する。ボディ壁部１６はチャンバ２８を形成している。ネック２４は肩部２６を介してボディ壁部１６に接続している。ネック２４は、オリフィス２８と、オリフィス２８からチャンバ２８まで貫通して延びた通路３０とを有する。
【００４０】
図６及び図７に示されたように、突起３２及び３４が、肩部２６において、ネック２４から半径方向外方へ、肩部２６の周縁に隣接したところまで延びている。突起３２及び３４は、概してネック２４を中心にして向き合って配置されている。突起３２及び３４は、平らな面５２及び５４と、斜面５６及び５８とを有している。突起３２において、斜面５６は肩部２６から上方へ傾斜しており、概してネック２４の長手方向に延びた平らな面５２と交わっている。突起３４において、斜面５８は肩部２６から上方へ傾斜しており、概してネック２４の長手方向に延びた平らな面５４と交わっている。突起３２及び３４は、トライアングロイド又はくさびの概略的形状を成している。
【００４１】
ねじ山３６はネック２４の上部から延びている。ねじ山３６は約０．０８〜０．１６インチのピッチを有する。ねじ山は、ネック２４の長手方向において突起３２の平らな面５２と概して整合した、完全ねじ部始端６０と完全ねじ部終端６２とを有する。
【００４２】
図３及び図４に示されたように、クロージャ１２の上端部３８から、概して周方向の外部スカート４０が延びている。クロージャ１２は、外部スカート４０の内側に上端部から延びた概して周方向の内部スカート４２をも有している。内部スカート４２の内面には、ねじ山４６が延びている。ネック２４のねじ山３６は内部スカート４２のねじ山４６に螺合させられることができる。外部スカート４０は、上端部３８とは反対側の第１の縁部４８において終わっている。内部スカート４２は、上端部３８とは反対側の第２の縁部５０において終わっている。外部スカート４０は、第１の縁部４８から内方へ延びた、向き合って配置されたスロット１４及び別のスロット１５を有している。スロット１４は傾斜した縁部６２を有しており、傾斜した縁部は、外部スカート４０内へ内方に傾斜及び湾曲しておりかつ、外部スカート４０の長手方向に延びた垂直な縁部６４と交わっている。スロット１５は傾斜した縁部６６を有しており、この傾斜した縁部は、外部スカート４０内に内方へ傾斜及び湾曲しておりかつ、概して外部スカート４０の長手方向に延びた垂直な縁部６８と交わっている。スロット１４及び１５は、図１及び図８に示されたようにクロージャ１２がヘッド２２とロックさせられた場合に各突起３２の外側部分を受容するように適合されている。クロージャ１２が容器２に螺合させられると、スロット１４及び１５は突起３２及び３４の外側部分に被さる。ロック位置において、垂直な縁部６４は垂直な面５２と概して当接し、スロット１５の垂直な縁部６８は垂直な面５４と概して当接する。さらにロック位置において、傾斜した縁部６２は傾斜した面５６と概して当接し、スロット１５の対応する傾斜した縁部（図示せず）は傾斜した面５８と概して当接する。
【００４３】
クロージャ１２は、外部スカート４０の外面に、第１の縁部４８から上端部３８に向かって延びた刻み目１８及び１９を有している。刻み目１８は、クロージャ１２を握り締め、回転させ、容器２０から取り外すための指（図示せず）のための掴み面を提供する。クロージャ１２が刻み目１８及び１９において握り締められると、スロット１４及び１５を有する外部スカート４０の部分が外方へ押し出され、これにより、突起３２及び３４を、スロット１４及び１５とのロック位置から解放させる。
【００４４】
排出容器の実施形態は、図１２に示されておりかつ、概して参照符号８０によって示されている。クロージャ１２は図２に個別に示されている。容器８０は、ボディ壁部８８とヘッド８２とを有している。ヘッド８２は、ネック８４及び肩部８６を有する。ボディ壁部８８はチャンバ８９を形成している。ネック８４は、肩部８６を介してボディ壁部８８に接続している。ネック８４は、オリフィス９４と、オリフィス９４からチャンバ８９まで貫通して延びた通路９８とを有する。
【００４５】
図１３から図１６までに示されたように、突起９０及び９２は、肩部８６において、ネック８４から肩部８６の周縁に隣接したところまで半径方向に延びている。突起９０及び９２はネック８４を中心に概して向き合って配置されている。突起９０及び９２は、平らな面１００及び１０２と、垂直な面１０４及び１０６と、斜面１０８及び１１０とを有する。突起９０において、斜面１０８は、概してネックの長手方向に延びた平らな面１００と概して交わるように、肩部８６から上方へ傾斜している。垂直な面１０４も、概してネック８４の長手方向に延びており、平らな面１００に対して概して垂直である。突起９２において、斜面１１０は、概してネック８４の長手方向に延びた平らな面１０２と概して交差するように肩部８６から上方に傾斜している。垂直な面１０６も、ネック８４の長手方向に延びており、平らな面１０２に対して概して垂直である。平らな面１００及び１０２と垂直な面１０４及び１０６との相対的な構成は“切欠が設けられた”外見を有する突起９０及び９２を提供する。
【００４６】
ねじ山９６はネック８４の上側部分から延びている。ねじ山９６は約０．０８〜約０．１６インチのピッチを有する。ねじ山９６は、ネック８４の長手方向において突起９０の平らな面と概して整列した、完全ねじ部始端１１２及び完全ねじ部終端１１４を有する。
【００４７】
クロージャ１２は容器８０と係合及びロック可能である。クロージャ１２のスロット１４及び１５は、クロージャ１２がヘッド８２とロックされた場合に各突起９０及び９２の外側部分を受容するように適合されている。クロージャ１２が容器８０に螺合されると、スロット１４及び１５は突起９０及び９２の外側部分に被さる。ロック位置において、クロージャ１２の垂直な縁部６４は平らな面１００と概して当接し、スロット１５の垂直な縁部６８は平らな面１０２と概して当接する。さらにロック位置において、傾斜した縁部６２は斜面１０８に概して当接し、スロット１５の対応する傾斜した縁部（図示せず）は傾斜した面１１０に概して当接する。
【００４８】
排出容器の別の実施形態が、図１７に示されており、概して参照符号１３０によって示されている。容器１３０はボディ壁部１３８及びヘッド１３２を有する。ヘッド１３２はネック１３４及び肩部１３６を有する。ボディ壁部１３８はチャンバ１３９を形成している。ネック１３４は肩部１３６を介してボディ壁部１３８と接続している。ネック１３４は、オリフィス１４４と、オリフィス１４４からチャンバ１３９まで貫通して延びた通路１４８とを有している。
【００４９】
図１８〜図２０に示されたように、突起１４０及び１４２は肩部１３６から肩部１３６に隣接して半径方向に延びている。突起１４０及び１４２は概してくさび形であり、ネック１３４から隔離されており、一体的ではない。突起１４０及び１４２はネック１３４を中心にして概して向き合って配置されている。突起１４０及び１４２は、平らな面１５０及び１５２と、斜面１５４及び１５６とを形成している。突起１４０において、斜面１５４は、概してネック１３４の長手方向に延びた平らな面１５０と交わるように肩部１３６から上方へ傾斜している。突起１４２において、斜面１５６は、概してネック１３４の長手方向に延びた平らな面１５２と交わるように肩部１３６から上方へ傾斜している。
【００５０】
ねじ山１４６はネック１３４の上側部分から延びている。ねじ山１４６は約０．０８〜約０．１６インチのピッチを有している。ねじ山１４６は、ネック１３４の長手方向において突起１４０の平らな面１５０と概して整合した、完全ねじ部始端１５８及び完全ねじ部終端１６０を有している。
【００５１】
図２のクロージャ１２は、容器１３０と係合及びロック可能である。クロージャ１２のスロット１４及び１５は、クロージャ１２がヘッド１３２とロックされた場合にそれぞれの突起１４０及び１４２の外側部分を受容するように適合されている。スロット１４及び１５は、クロージャ１２が容器１３０に螺合させられると突起１４０及び１４２の外側部分に被さる。ロック位置において、クロージャ１２の垂直な縁部６４は平らな面１５０と概して当接又は隣接しており、スロット１５の垂直な縁部６８は平らな面１５２と概して当接又は隣接している。さらにロック位置において、傾斜した縁部６２は斜面１５４に概して当接又は隣接しており、スロット１５の対応する傾斜した縁部（図示せず）は斜面１５６に概して当接又は隣接している。
【００５２】
図１０及び図１１に示されたように、クロージャ１７０が設けられており、クロージャの上端部１７２から概して周方向の外部スカート１７４が延びている。外部スカート１７４の内側においてクロージャ１７０から概して周方向の内部スカート１７６も延びている。内部スカート１７６の内面からねじ山１７８が延びている。ここに示されたあらゆる排出容器のねじ山がねじ山１７８に螺合させられることができる。外部スカート１７４は、上端部１７２とは反対側の第１の縁部１８０において終わっている。内部スカート１７６は、上端部１７２とは反対側の第２の縁部１８２において終わっている。外部スカート１７４は、第１の縁部１８０から内方へ延びた、スロット１８４と、このスロット１８４と向き合って配置された別のスロット１８６とを有している。スロット１８４は、外部スカート１７４へ内方に傾斜及び湾曲した、概して外部スカート１７４の長手方向に延びた垂直な縁部１９２と交わる傾斜した縁部１８８を有している。スロット１８６は、外部スカート１７４へ内方に傾斜及び湾曲した、概して外部スカート１７４の長手方向に延びた垂直な縁部１９４と交差する傾斜した縁部１９０を有している。スロット１８４及び１８６は、ここに示されたあらゆる排出容器の突起の外側部分を受容し、この突起とロックするように適合されている。スロット１８４及び１８６はこのような突起の外側部分に被さる。ロック位置において、垂直な縁部１９２及び１９４はこのような突起の垂直な面に概して当接又は隣接する。クロージャ１７０は、上端部１７２から概してクロージャ１７０の長手方向に周囲に沿って延びたプラグシール２００を有している。プラグシール２００は、クロージャ１７０が排出容器とロックされたときに排出容器のヘッドのオリフィスに嵌合しこのオリフィスをシールするように適合されている。
【００５３】
排出容器の実施形態が図２１に示されており、概して参照符号２１０によって表されている。容器２１０はボディ壁部２１８とヘッド２１２とを有する。ヘッド２１２はネック２１４と肩部２１６とを有する。ボディ壁部２１８はチャンバ２１９を形成している。ネック２１４は肩部２１６を介してボディ壁部２１８と接続している。ネック２１４は、オリフィス２２４と、オリフィス２２４からチャンバ２１９まで貫通して延びた通路２２８とを有する。
【００５４】
図２１から図２３までに示されたように、突起２２０及び２２２は、肩部２１６において、ネック２１４から半径方向に肩部２１６の周縁に隣接したところまで延びている。突起２２０及び２２２は概してネック２１４を中心にして向き合って配置されている。突起２２０及び２２２は、平らな面２３０及び２３２と、ノブ２３４及び２３６と、内方にテーパした面２３８，２４０，２４２，２４４とを有している。突起２２０及び２２２の外側部分における内方にテーパした面は、クロージャの回転速度を減速するために機能する。平らな面２３０及び２３２は、概して表面輪郭が平坦であり、肩部２１６から、ネック２１４の長手方向にかつネック２１４に対して半径方向に延びている。肩部２１６から平らな面２３０及び２２２の頂上部まで計測したときの突起２２０及び２２２の好適な高さは０．１インチである。ノブ２３４及び２３６は、それぞれ肩部２１及び突起２２０及び２２２から延びている。
【００５５】
排出チューブ２１０は二条ねじを有する。言い換えれば、ネック２１４から螺旋状に延びた２つのねじ山２２５，２２６が設けられている。ねじ山は、約０．１５〜約０．３インチ、好適には約０．２インチのピッチを有する。ねじ山２２５は、完全ねじ部始端２３３と、完全ねじ部終端２３１とを有する。ねじ山２２６は、完全ねじ部始端２３４と、完全ねじ部終端２３２とを有する。発明の重要な特徴は、完全ねじ部始端２３３，２３４が、ネック２１４の長手方向で概して突起２２０，２２２と整合しているということである。完全ねじ部終端２３１，２３２もネック２１４の長手方向で概して突起２２０，２２２と整合しているが、このことは本発明にとって重要ではない。排出チューブのその他の可能な実施形態は、三条ねじ、四条ねじ等の多条ねじを有することもできる。
【００５６】
図２２及び図２３に示された排出チューブパッケージ２４８を形成するために排出チューブ２１０がクロージャ２４６と係合させられる。クロージャ２４６は、容器２１０を含む本発明の排出容器と係合及びロック可能である。図２３から図２５までに示されたように、クロージャ２４６は、クロージャ２４６がヘッド２１２とロックされたときにそれぞれの突起２２０及び２２２の外側部分を受容するように適合された、向き合って配置されたスロット２５０及び２５２を有している。クロージャ２４６が容器２１０に螺合させられるとスロット２５０及び２５２が突起２２０及び２２２の内方へテーパした面に被さる。突起２２０及び２２２の外側部分における内方へテーパした面は、クロージャ２４６の回転速度を減速させるように機能し、突起２２０及び２２２はスロット２５０及び２５２に嵌合する。クロージャ２４６がヘッド２１２とロックされると、突起２２０及び２２２の外側部分がスロット２５０及び２５２から突出する。スロット２２０及び２２２は、スロットの前縁部において、向き合って配置された垂直な縁部２５４及び２５６（図示せず）を形成する。ロック位置において、クロージャ２４６の垂直な縁部２５４は平らな面２３０に概して当接又は隣接し、スロット２２２の垂直な縁部２５６は平らな面２３２と概して当接又は隣接する。クロージャ２４６は、クロージャの握り締め、回転及び取外しを補助するために刻み目２５８及び２６０を有する。ノブ２３４及び２３６は支持面を提供し、この支持面に対してクロージャ２４６の内面（図示せず）が当接することができる。前記構造とは別に、クロージャ２４６は、内部スカート、外部スカート、係合するねじ山、プラグシール等を含むがこれらに限定されないここに開示された他のクロージャ実施形態に対応する付加的な構造を有する。
【００５７】
排出容器及びクロージャを含むパッケージは、押出し成形又はラミネーション等の技術上知られたあらゆる方法によって製造されることができる。押出し成形の場合、プラスチックチューブが連続的に押し出され、次いで別個の長さに切断され、内部容器及び外部容器のための管状のボディ壁部を形成する。内部容器及び外部容器のために種々異なる直径のチューブが使用される。次いで、ヘッドは、内部容器及び外部容器を形成するために両直径のチューブ長さに溶接又は接着される。内部容器は、外部容器の開放端部に挿入され、外部容器のヘッド及び／又はネックに取り付けられる又は挿入される。外部容器のヘッドに、クロージャ、キャップ又はトップが提供される。内部容器及び外部容器の開放端部は、排出されるべき機能的及び／又は装飾的製品で通常は充填され、次いで、熱的手段又は機械的手段によってシールされる。端部を重ね合わせ、加熱シールすることが好適である。ラミネーションの場合、プラスチック材料のシートが丸められて管を形成し、連続的な管を形成するようにシートの縁部に沿ってシールされる。連続的な管は別個の管長さに切断され、さらに、押出し成形された排出容器を形成する場合と同様の形式で処理される。
【００５８】
クロージャ及びヘッドは、プラスチック材料を用いた、射出成形、圧縮成形又は打抜き加工等の技術上知られたあらゆる方法に従って製造されることができる。射出成形が好ましい。
【００５９】
パッケージは、技術上知られたあらゆるプラスチックから製造されることができる。代表的なプラスチック材料は、エチレンポリマ、プロピレンポリマ、ポリエステル及びポリアミドを含む。有効なエチレンポリマは、低密度ポリエチレン、中密度ポリエチレン、高密度ポリエチレン及び線形低密度ポリエチレンを含む。有効なプロピレンポリマはポリプロピレンである。有効なポリエステルはポリエチレンテレフタラートを含む。好適なプラスチック材料は低密度ポリエチレン及びポリプロピレンである。パッケージの種々異なる部分は、同じ材料から製造されても、異なる材料から製造されてもよい。チューブのボディ壁部のための好適なプラスチック材料は低密度ポリエチレンである。ヘッド及びクロージャのための好適なプラスチック材料は高密度ポリエチレン及びポリプロピレンである。
【００６０】
前記説明は本発明の単なる例であることが理解されるべきである。様々な択一例及び変化実施例が、発明から逸脱することなく当業者によって考えられるであろう。したがって、本発明は、添付の請求項の範囲に当てはまる全てのこのような択一例、変化実施例及び変更を包含することが意図されている。
【図面の簡単な説明】
【００６１】
【図１】本発明による排出パッケージの実施形態の斜視図である。
【図２】本発明によるクロージャの実施形態の斜視図である。
【図３】３−３線に沿った図２のクロージャの断面図である。
【図４】図２のクロージャの側面図である。
【図５】本発明による排出容器の実施形態の部分的な斜視図である。
【図６】図５の排出容器の上面図である。
【図７】図５の排出容器の側面図である。
【図８】８−８線に沿った図１のパッケージの断面図である。
【図９】図３のクロージャのねじ山の拡大図である。
【図１０】本発明のクロージャの別の実施形態の斜視図である。
【図１１】１１−１１線に沿った図１０のクロージャの断面図である。
【図１２】本発明による排出容器のさらに別の実施形態の斜視図である。
【図１３】図１２の排出容器の部分的な側面図である。
【図１４】図１２の排出容器の別の部分的な側面図である。
【図１５】図１２の排出容器の上面図である。
【図１６】図１と同じ形式において図２のクロージャが図１２の排出容器と係合させられた場合に形成されるパッケージの断面図である。断面は、図１の８−８線と同じ方向から見たものである。
【図１７】本発明による排出容器のさらに別の実施形態の斜視図である。
【図１８】図１７の排出容器の部分的な側面図である。
【図１９】図１７の排出容器の部分的な側面図である。
【図２０】図７の排出容器の上面図である。
【図２１】本発明による排出容器のさらに別の実施形態の断片的な斜視図である。
【図２２】図２１の排出容器の断片的な側面図である。
【図２３】パッケージを形成するためにクロージャと連結された図２１の排出容器の断片的な斜視図である。
【図２４】パッケージを形成するためにクロージャと連結された図２１の排出容器の断片的な側面図である。
【図２５】本発明によるクロージャの側面図である。
【符号の説明】
【００６２】
１０  パッケージ、  １２  クロージャ、  １４，１５  スロット、  １６  ボディ壁部、  １８，１９  刻み目、  ２０  容器、  ２２  ヘッド、  ２４  ネック、  ２６  肩部、  ２８  オリフィス、  ３０  通路、  ３２，３４  突起、  ４０  外部スカート、  ４２  内部スカート、  ４６  ねじ山、  ４８  第１の縁部、  ５０  第２の縁部、  ５２，５４  平らな面、  ５６，５８  斜面、  ６０  完全ねじ部始端、  ６２  完全ねじ部終端、  ６４  垂直な縁部、  ６６  傾斜した縁部、  ６８  垂直な縁部、  ８０  容器、  ８２  ヘッド、  ８４  ネック、  ８６  肩部、  ８８  ボディ壁部、  ８９  チャンバ、  ９０，９２  突起、  ９４  オリフィス、  ９８  通路、  １００，１０２  平らな面、  １０４，１０６  垂直な面、  １０８，１１０  斜面、  １３０  容器、  １３２  ヘッド、  １３４  ネック、  １３６  肩部、  １３８  ボディ壁部、  １３９  チャンバ、  １４０，１４２  突起、  １５０，１５２  平らな面、  １５４，１５６  斜面、  １７０  クロージャ、  １７２  上端部、  １７４  外部スカート、  １７６  内部スカート、  １７８  ねじ山、  １８０  第１の縁部、  １８２  第２の縁部、  １８４，１８６  スロット、  １８８，１９０  傾斜した縁部、  １９２，１９４  垂直な縁部、  ２００  プラグシール、  ２１０  容器、  ２１２  ヘッド、  ２１４  ネック、  ２１６  肩部、  ２１８  ボディ壁部、  ２１９  チャンバ、  ２２０，２２２  突起、  ２２４  オリフィス、  ２２８  通路、  ２３０，２３２  平らな面、  ２３４，２３６  ノブ、  ２３８，２４０，２４２，２４４  内方にテーパした面、  ２４８  排出チューブパッケージ、  ２５０，２５２  スロット、  ２５４，２５６  垂直な縁部、  ２５８，２６０  刻み目  
【図１】
2007508209.tif 000003
【図２】
2007508209.tif 000004
【図３】
2007508209.tif 000005
【図４】
2007508209.tif 000006
【図５】
2007508209.tif 000007
【図６】
2007508209.tif 000008
【図７】
2007508209.tif 000009
【図８】
2007508209.tif 000010
【図９】
2007508209.tif 000011
【図１０】
2007508209.tif 000012
【図１１】
2007508209.tif 000013
【図１２】
2007508209.tif 000014
【図１３】
2007508209.tif 000015
【図１４】
2007508209.tif 000016
【図１５】
2007508209.tif 000017
【図１６】
2007508209.tif 000018
【図１７】
2007508209.tif 000019
【図１８】
2007508209.tif 000020
【図１９】
2007508209.tif 000021
【図２０】
2007508209.tif 000022
【図２１】
2007508209.tif 000023
【図２２】
2007508209.tif 000024
【図２３】
2007508209.tif 000025
【図２４】
2007508209.tif 000026
【図２５】
2007508209.tif 000027
【国際調査報告】
2007508209.tif 000028
2007508209.tif 000029